(57)【要約】      （修正有）【課題】部材締結構造及び部材締結用のクリップに関し、取付部材と脚部材との間に、少なくとも一つの傾斜面を有する突部と、当該突部の傾斜面に当接する突壁とを設けることで、少なくとも突壁の構造を簡便化することができるようにしたものである。【解決手段】部材締結構造10は、取付部材（例えばグロメット40）と、脚部材（例えばピン50）とからなる。取付部材（例えばグロメット40）と脚部材（例えばピン50）との間には、少なくとも一つの傾斜面を有する突部、弾性脚片が拡開されている状態で、脚部材（例えばピン50）が回転された場合に、突部の傾斜面に当接し、脚部材（例えばピン50）を取付部材（例えばグロメット40）から離脱する方向に案内する突壁73を設けている。【選択図】図１
2011231850.tif 000002
【特許請求の範囲】
【請求項１】
厚さ方向に貫通孔を有する鍔状部、
前記鍔状部の他方の側に筒状に列設されて、該鍔状部の前記貫通孔に連通する筒状部を形成するとともに、対向している内側の面に凸部が設けられている弾性脚片からなる取付部材と、
フランジ、
前記フランジから一体に突設されており、少なくとも先端側に向けて太径部と細径部とが連続して設けられている脚部材とからなり、
前記脚部材の細径部から太径部の円周方向にカム部が隆設されており、
前記取付部材への前記脚部材の挿入によって弾性脚片の凸部がカム部に乗り上げ、前記弾性脚片が拡開される部材締結構造であって、
前記取付部材と前記脚部材との間には、
少なくとも一つの傾斜面を有する突部と、
前記弾性脚片が拡開されている状態で、前記脚部材が回転された場合に、前記突部の傾斜面に当接し、前記脚部材を前記取付部材から離脱する方向に案内する突壁とを設けていることを特徴とする部材締結構造。
【請求項２】
前記突壁は、
前記取付部材に設けられ、
前記貫通孔を中心とした円周方向の前後に対して対称形状に形成されていることを特徴とする請求項１に記載の部材締結構造。
【請求項３】
前記突部は、前記脚部材の前記フランジの下側に形成され、
前記突壁は、前記取付部材の前記鍔状部に形成されていることを特徴とする請求項１又は請求項２に記載の部材締結構造。
【請求項４】
前記突部は、前記脚部材の前記太径部と前記細径部との間に形成され、
前記突壁は、前記取付部材の前記弾性脚片に形成されていることを特徴とする請求項１又は請求項２に記載の部材締結構造。
【請求項５】
鍔状部、
前記鍔状部から垂設した脚部、
鍔状部から脚部に貫通する貫通孔を有するグロメットと、
前記貫通孔に挿入することで、前記脚部を拡径可能な軸部、
前記軸部より張り出し、前記貫通孔より大径のフランジを有するピンとを備えるクリップであって、
前記脚部と前記軸部との間に、
前記脚部を拡径可能した状態で互いに弾性的にはまり合うことで、前記貫通孔中での前記軸部の軸方向の移動を阻止するための凹部と凸部とのいずれか一方をそれぞれに設け、
前記凹部の円周方向には、
当該凹部と凸部とがはまり合った状態で、前記フランジが回転された場合に、前記凹部から抜け出た前記凸部が、弾性的に当接するとともに、前記貫通孔中での前記軸部の軸方向の移動を許容するロック解除部を設け、
前記ロック解除部には、
当該ロック解除部に弾性的に当接する前記凸部の弾性復元力を利用して、
前記軸部が前記貫通孔から抜け出る方向に付勢する傾斜面を設けていることを特徴とする部材締結用のクリップ。
【請求項６】
鍔状部、
前記鍔状部から垂設した脚部、
鍔状部から脚部に貫通する貫通孔を有するグロメットと、
前記貫通孔に挿入することで、前記脚部を拡径可能な軸部、
前記軸部より張り出し、前記貫通孔より大径のフランジを有するピンとを備えるクリップであって、
前記脚部と前記軸部との間に、
前記脚部を拡径可能した状態で互いに弾性的にはまり合うことで、前記貫通孔中での前記軸部の軸方向の移動を阻止するための凹部と凸部とのいずれか一方をそれぞれに設け、
前記凹部の円周方向には、
当該凹部と凸部とがはまり合った状態で、前記フランジが回転された場合に、前記貫通孔中での前記軸部の軸方向の移動を許容するロック解除部を設け、
前記フランジの周縁には、
弾性を有する弾性体を設け、
前記鍔状部には、
前記脚部を拡径可能した状態で、前記弾性体と弾性的に当接する壁部を設け、
前記脚部を拡径可能した状態で、前記フランジが回転された場合に、前記弾性体に蓄積された弾性復元力により、前記軸部が前記貫通孔から抜け出る方向に付勢されるようにしていることを特徴とする部材締結用のクリップ。
【発明の詳細な説明】
【技術分野】
【０００１】
この発明は、部材締結構造及び部材締結用のクリップに関し、取付部材と脚部材との間に、少なくとも一つの傾斜面を有する突部と、当該突部の傾斜面に当接する突壁とを設けることで、少なくとも突壁の構造を簡便化することができるようにしたものである。
【背景技術】
【０００２】
従来、雌留め具と雄留め具との間に、互いに当接するカム部をそれぞれ設けた留め具が知られている（特許文献１の４頁左欄の４〜８行、同頁左欄最下行〜同頁右欄３行及び図１参照）。
上記した従来の雌留め具のカム部は、傾斜状に起立して設けられていた（特許文献１の４頁左欄の７行〜８行及び図１参照）。
【先行技術文献】
【特許文献】
【０００３】
【特許文献１】実用新案登録２５１２３６２号公報
【発明の概要】
【発明が解決しようとする課題】
【０００４】
しかし、上記した従来の雌留め具のカム部は、その環状凹段部の円周方向に傾斜状に起立して設けられているので、円周方向の前後に対し非対称形状となり、雌留め具の製造が困難であるという問題点があった。
すなわち、従来の雌留め具を、例えば金型を使用して射出成形する場合には、金型の構造が複雑化するため、金型の作図工数及び設計工数の増加を引き起こしていた。また、従来の雌留め具では、金型の構造が複雑であったため、金型や成形上の不具合に設計者が気付き難く、同様の不具合が発生する可能性が高いという欠点もあった。
【０００５】
特にバンパリテーナーのような車両の左右が対称な製品においても、上記した従来の雌留め具のカム部を左右非対称に作図しなければならず、作図工数の増加、設計ミス、金型製造ミスを引き起こしていた。
そこで、各請求項にそれぞれ記載された各発明は、上記した従来の技術の有する問題点に鑑みてなされたものであり、その目的とするところは、次の点にある。
（請求項１）
請求項１に記載の発明は、次の点を目的とする。
【０００６】
すなわち、請求項１に記載の発明は、取付部材と脚部材との間に、少なくとも一つの傾斜面を有する突部と、当該突部の傾斜面に当接する突壁とを設けることで、少なくとも突壁の構造を簡便化することができるようにしたものである。
（請求項２）
請求項２に記載の発明は、上記した請求項１に記載の発明の目的に加え、次の点を目的とする。
【０００７】
すなわち、請求項２に記載の発明は、突壁を取付部材に設けらることで、取付部材の構造、並びに製造を簡便にすることができるようにしたものである。
これに加え、請求項２に記載の発明は、取付部材に設けられた突壁を、貫通孔を中心とした円周方向の前後に対して対称形状に形成することで、取付部材の構造、並びに製造を一層、簡便にすることができるようにしたものである。
（請求項３）
請求項３に記載の発明は、上記した請求項１又は請求項２に記載の発明の目的に加え、次の点を目的とする。
【０００８】
すなわち、請求項３に記載の発明は、突部を脚部材のフランジの下側に形成することで、突壁を取付部材の鍔状部に形成することができるようにしたものである。
（請求項４）
請求項４に記載の発明は、上記した請求項１又は請求項２に記載の発明の目的に加え、次の点を目的とする。
【０００９】
すなわち、請求項４に記載の発明は、突部を脚部材の太径部と細径部との間に形成することで、突壁を取付部材の弾性脚片に形成することができるようにしたものである。
（請求項５）
請求項５に記載の発明は、次の点を目的とする。
すなわち、請求項５に記載の発明は、請求項１〜４に記載の部材締結構造に好適な部材締結用のクリップを提供することができるようにしたものである。
【００１０】
これに加え、請求項５に記載の発明は、ピンがグロメットに対してロックされた状態で、フランジが回転された場合に、ロック解除部の傾斜面に弾性的に当接する凸部の弾性復元力を利用して、ピンの軸部をグロメットの貫通孔から抜け出る方向に付勢することができるようにしたものである。
（請求項６）
請求項６に記載の発明は、次の点を目的とする。
【００１１】
すなわち、請求項６に記載の発明は、請求項１〜４に記載の部材締結構造に好適な部材締結用のクリップを提供することができるようにしたものである。
これに加え、請求項６に記載の発明は、請求項５に記載の発明と同様に、ピンがグロメットに対してロックされた状態で、フランジが回転された場合に、当該フランジの弾性体に蓄積された弾性復元力により、ピンの軸部をグロメットの貫通孔から抜け出る方向に付勢することができるようにしたものである。
【課題を解決するための手段】
【００１２】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１３】
第１に、部材締結構造(10)は、例えば図１及び図２に示すように、次の構成からなる。
（１）取付部材（例えばグロメット40）
（２）脚部材（例えばピン50）
上記取付部材（例えばグロメット40）には、例えば図１及び図２に示すように、次の構成が設けられている。
【００１４】
（３）鍔状部(70)
鍔状部(70)は、例えば図１〜４に示すように、厚さ方向に貫通孔(71)を有するものである。
（４）弾性脚片(110,120)
弾性脚片(110,120)は、例えば図３、図４及び図８に示すように、鍔状部(70)の他方の側に筒状に列設されて、該鍔状部(70)の貫通孔(71)に連通する筒状部を形成するとともに、対向している内側の面に凸部(111,121)が設けられているものである。
【００１５】
上記脚部材（例えばピン50）には、例えば図１及び図２に示すように、次の構成が設けられている。
（５）フランジ(100)
（６）太径部(91)と細径部(92)
太径部(91)と細径部(92)とは、例えば図１及び図２に示すように、フランジ(100)から一体に突設されており、少なくとも先端側に向けて連続して設けられている。
【００１６】
第２に、脚部材（例えばピン50）の細径部(92)から太径部(91)の円周方向に、例えば図１及び図２に示すように、カム部(93)が隆設されている。
第３に、取付部材（例えばグロメット40）への脚部材（例えばピン50）の挿入によって弾性脚片(110,120)の凸部(111,121)がカム部(93)に乗り上げ、弾性脚片(110,120)が拡開される部材締結構造(10)である。
【００１７】
第４に、取付部材（例えばグロメット40）と脚部材（例えばピン50）との間には、例えば図１及び図２に示すように、次の構成を設けている。
（７）突部(103)
突部(103)は、例えば図２に示すように、少なくとも一つの傾斜面(104)を有するものである。
【００１８】
（８）突壁(73)
突壁(73)は、例えば図１及び図２に示すように、弾性脚片(110,120)が拡開されている状態（例えば図４参照）で、脚部材（例えばピン50）が回転された場合に、突部(103)の傾斜面(104)に当接し、脚部材（例えばピン50）を取付部材（例えばグロメット40）から離脱する方向に案内するものである。
（請求項２）
請求項２に記載の発明は、上記した請求項１に記載の発明の特徴点に加え、次の点を特徴とする。
【００１９】
第１に、突壁(73)は、例えば図１及び図２に示すように、取付部材（例えばグロメット40）に設けられている。
第１に、突壁(73)は、例えば図１及び図２に示すように、貫通孔(71)を中心とした円周方向の前後に対して対称形状に形成されている。
（請求項３）
請求項３に記載の発明は、上記した請求項１又は請求項２に記載の発明の特徴点に加え、次の点を特徴とする。
【００２０】
第１に、突部(103)は、例えば図２に示すように、脚部材（例えばピン50）のフランジ(100)の下側に形成されている。
第２に、突壁(73)は、例えば図１及び図２に示すように、取付部材（例えばグロメット40）の鍔状部(70)に形成されている。
（請求項４）
請求項４に記載の発明は、上記した請求項１又は請求項２に記載の発明の特徴点に加え、次の点を特徴とする。
【００２１】
第１に、突部（例えばロック解除部500）は、例えば図２７、図２９〜３２に示すように、脚部材（例えばピン50）の太径部(91)と細径部(92)との間に形成されている。
第２に、突壁(例えば第２凸部121)は、例えば図２７〜３２に示すように、取付部材（例えばグロメット40）の弾性脚片（例えば第２弾性脚片120）に形成されている。
（請求項５）
請求項５に記載の発明は、次の点を特徴とする。
【００２２】
第１に、クリップ(30)には、例えば図２７及び図２８に示すように、次の構成を備える。
（１）グロメット(40)
（２）ピン(50)
上記グロメット(40)には、例えば図２８に示すように、次の構成を有する。
【００２３】
（３）鍔状部(70)
（４）脚部(80)
脚部(80)は、例えば図２８に示すように、鍔状部(70)から垂設したものである。
（５）貫通孔(71)
貫通孔(71)は、例えば図２８に示すように、鍔状部(70)から脚部(80)に貫通するものである。
【００２４】
上記ピン(50)には、例えば図２７及び図２８に示すように、次の構成を有する。
（６）軸部(90)
軸部(90)は、例えば図２６に示すように、貫通孔(71)に挿入することで、脚部(80)を拡径可能なものである。
（７）フランジ(100)
フランジ(100)は、例えば図２７及び図２８に示すように、軸部(90)より張り出し、貫通孔(71)より大径のものである。
【００２５】
第２に、脚部(80)と軸部(90)との間に、例えば図２７及び図２８に示すように、脚部(80)を拡径可能した状態で互いに弾性的にはまり合うことで、貫通孔(71)中での軸部(90)の軸方向の移動を阻止するための凹部(94)と凸部（例えば第２凸部121）とのいずれか一方をそれぞれに設けている。
第３に、凹部(94)の円周方向には、例えば図２７及び図２９〜３２に示すように、当該凹部(94)と凸部（例えば第２凸部121）とがはまり合った状態（例えば図２８参照）で、フランジ(100)が回転された場合に、凹部(94)から抜け出た凸部（例えば第２凸部121）が、弾性的に当接するとともに、貫通孔(71)中での軸部(90)の軸方向の移動を許容するロック解除部(500)を設けている。
【００２６】
第４に、ロック解除部(500)には、例えば図２７及び図２９〜３２に示すように、当該ロック解除部(500)に弾性的に当接する凸部（例えば第２凸部121）の弾性復元力を利用して、軸部(90)が貫通孔(71)から抜け出る方向に付勢する傾斜面(501)を設けている。
（請求項６）
請求項６に記載の発明は、次の点を特徴とする。
【００２７】
第１に、クリップ(30)には、例えば図２７及び図２８に示すように、次の構成を備える。
（１）グロメット(40)
（２）ピン(50)
上記グロメット(40)には、例えば図２８に示すように、次の構成を有する。
【００２８】
（３）鍔状部(70)
（４）脚部(80)
脚部(80)は、例えば図２８に示すように、鍔状部(70)から垂設したものである。
（５）貫通孔(71)
貫通孔(71)は、例えば図２８に示すように、鍔状部(70)から脚部(80)に貫通するものである。
【００２９】
上記ピン(50)には、例えば図２７及び図２８に示すように、次の構成を有する。
（６）軸部(90)
軸部(90)は、例えば図２６に示すように、貫通孔(71)に挿入することで、脚部(80)を拡径可能なものである。
（７）フランジ(100)
フランジ(100)は、例えば図２７及び図２８に示すように、軸部(90)より張り出し、貫通孔(71)より大径のものである。
【００３０】
第２に、脚部(80)と軸部(90)との間に、例えば図２７及び図２８に示すように、脚部(80)を拡径可能した状態で互いに弾性的にはまり合うことで、貫通孔(71)中での軸部(90)の軸方向の移動を阻止するための凹部(94)と凸部（例えば第２凸部121）とのいずれか一方をそれぞれに設けている。
第３に、凹部(94)の円周方向には、例えば図２７及び図２９〜３２に示すように、当該凹部(94)と凸部（例えば第２凸部121）とがはまり合った状態（例えば図２８参照）で、フランジ(100)が回転された場合に、凹部(94)から抜け出た凸部（例えば第２凸部121）が、弾性的に当接するとともに、貫通孔(71)中での軸部(90)の軸方向の移動を許容するロック解除部(500)を設けている。
【００３１】
第４に、フランジ(100)の周縁には、例えば図２７〜２９に示すように、弾性を有する弾性体(101)を設けている。
第５に、鍔状部(70)には、例えば図２８に示すように、脚部(80)を拡径可能した状態で、弾性体(101)と弾性的に当接する壁部(72)を設けている。
第６に、脚部(80)を拡径可能した状態で、フランジ(100)が回転された場合に、例えば図２９に示すように、弾性体(101)に蓄積された弾性復元力により、軸部(90)が貫通孔(71)から抜け出る方向に付勢されるようにしている。
【発明の効果】
【００３２】
本発明は、以上のように構成されているので、以下に記載されるような効果を奏する。（請求項１）
請求項１に記載の発明によれば、次のような効果を奏する。
すなわち、請求項１に記載の発明によれば、取付部材と脚部材との間に、少なくとも一つの傾斜面を有する突部と、当該突部の傾斜面に当接する突壁とを設けることで、少なくとも突壁の構造を簡便化することができる。
（請求項２）
請求項２に記載の発明によれば、上記した請求項１に記載の発明の効果に加え、次のような効果を奏する。
【００３３】
すなわち、請求項２に記載の発明によれば、突壁を取付部材に設けらることで、取付部材の構造、並びに製造を簡便にすることができる。
これに加え、請求項２に記載の発明によれば、取付部材に設けられた突壁を、貫通孔を中心とした円周方向の前後に対して対称形状に形成することで、取付部材の構造、並びに製造を一層、簡便にすることができる。
（請求項３）
請求項３に記載の発明によれば、上記した請求項１又は請求項２に記載の発明の効果に加え、次のような効果を奏する。
【００３４】
すなわち、請求項３に記載の発明によれば、突部を脚部材のフランジの下側に形成することで、突壁を取付部材の鍔状部に形成することができる。
（請求項４）
請求項４に記載の発明によれば、上記した請求項１又は請求項２に記載の発明の効果に加え、次のような効果を奏する。
【００３５】
すなわち、請求項４に記載の発明によれば、突部を脚部材の太径部と細径部との間に形成することで、突壁を取付部材の弾性脚片に形成することができる。
（請求項５）
請求項５に記載の発明によれば、次のような効果を奏する。
すなわち、請求項５に記載の発明によれば、請求項１〜４に記載の部材締結構造に好適な部材締結用のクリップを提供することができる。
【００３６】
これに加え、請求項５に記載の発明によれば、ピンがグロメットに対してロックされた状態で、フランジが回転された場合に、ロック解除部の傾斜面に弾性的に当接する凸部の弾性復元力を利用して、ピンの軸部をグロメットの貫通孔から抜け出る方向に付勢することができる。
（請求項６）
請求項６に記載の発明によれば、次のような効果を奏する。
【００３７】
すなわち、請求項６に記載の発明によれば、請求項１〜４に記載の部材締結構造に好適な部材締結用のクリップを提供することができる。
これに加え、請求項６に記載の発明によれば、請求項５に記載の発明と同様に、ピンがグロメットに対してロックされた状態で、フランジが回転された場合に、当該フランジの弾性体に蓄積された弾性復元力により、ピンの軸部をグロメットの貫通孔から抜け出る方向に付勢することができる。
【図面の簡単な説明】
【００３８】
【図１】部材締結構造の分解斜視図である。
【図２】クリップの分解斜視図である。
【図３】クリップの取付状態の断面図である。
【図４】クリップの取付状態の他の断面図である。
【図５】ピンの仮留め状態の断面図である。
【図６】ピンの仮留め状態の断面図である。
【図７】グロメットの斜視図である。
【図８】グロメットの他の斜視図である。
【図９】グロメットの正面図である。
【図１０】グロメットの側面図である。
【図１１】グロメットの平面図である。
【図１２】グロメットの底面図である。
【図１３】グロメットの一半を断面にした正面図である。
【図１４】グロメットの一半を断面にした側面図である。
【図１５】ピンの斜視図である。
【図１６】ピンの他の斜視図である。
【図１７】ピンの正面図である。
【図１８】ピンの一半を断面にした側面である。
【図１９】ピンの平面図である。
【図２０】ピンの一部拡大図である。
【図２１】図１８のＡ−Ａ線に沿う断面図である。
【図２２】グロメットの突壁とピンの突部との係合状態を説明するための説明図である。
【図２３】本発明の第２の実施の形態を説明するためのグロメットの一部平面図である。
【図２４】本発明の第３の実施の形態を説明するためのグロメットの一部平面図である。
【図２５】本発明の第４の実施の形態を示し、クリップの取付状態の断面図である。
【図２６】本発明の第４の実施の形態を示し、クリップの取付状態の他の断面図である。
【図２７】本発明の第５の実施の形態を示し、ピンの斜視図である。
【図２８】本発明の第５の実施の形態を示し、クリップの取付状態の断面図である。
【図２９】図２８のピンを回転させた状態を示す断面図である。
【図３０】図２９の丸で囲んだＡ部分の拡大図である。
【図３１】図２８のＸ−Ｘ線に沿う断面図である。
【図３２】図２９のＹ−Ｙ線に沿う断面図である。
【発明を実施するための形態】
【００３９】
（部材締結構造10）
図１中、10は、部材締結構造を示し、部材締結構造10は、図示しないが、例えば自動車のボディーであるベース20に、部品の一例であるバンパー（図示せず）を、バンパーリテーナー（図示せず）の一部を構成するクリップ30を介して締結するものである。
ベース20には、図１に示すように、クリップ30を取り付けるための取付穴21を設けている。取付穴21は、ベース20の表裏面に貫通するとともに、非円形、例えば方形に形成している。
【００４０】
なお、取付穴21を、方形に形成したが、これに限定されず、クリップ30が回転しない非円形であれば良い。
一方、ベース20として、自動車のボディーを例示したが、これに限定されず、自動車用に限らず、他の乗り物や建物、家具、事務機器等でも良い。
また、部品として、バンパーを例示したが、これに限定されない。また、バンパーリテーナー（図示せず）及びクリップ30も、部品の一部と考えているが、この点については、「部品の態様」として後述する。
【００４１】
さらに、クリップ30を、バンパーリテーナーの一部として構成したが、これに限定されず、バンパーリテーナーと別体に構成しても良い。
（クリップ30）
クリップ30は、図１及び図２に示すように、大別すると、次の構成を備える。
なお、次の（１）〜（３）については、後述する。
【００４２】
（１）グロメット40（取付部材）
（２）ピン50（脚部材）
（３）パッキング60
なお、クリップ30の構成は、上記した（１）〜（３）に限定されない。
（グロメット40）
グロメット40は、図１〜４に示すように、バンパーリテーナー（図示せず）の一部を構成し、ベース20の取付穴21に取り付けられ、後述するピン50を挿入することで、ベース20に対して締結されるものであり、取付部材を構成する。バンパーリテーナーは、グロメット40を介してベース20に対して締結される。グロメット40は、適度な弾性と剛性とを有する合成樹脂により一体的に成形されている。
【００４３】
なお、グロメット40を、バンパーリテーナーの一部として構成したが、これに限定されず、バンパーリテーナーと別体に構成しても良い。また、取付部材として、グロメット40を例示したが、これに限定されない。
具体的には、グロメット40に、図７〜１４に示すように、次の各部を有する。
なお、次の（１）及び（２）については、後述する。
【００４４】
（１）鍔状部70
（２）脚部80
なお、グロメット40の各部は、上記した（１）及び（２）に限定されない。
（ピン50）
ピン50は、図１〜４に示すように、グロメット40に挿入されることで、グロメット40をベース20に対して締結するものであり、脚部材を構成する。ピン50は、適度な弾性と剛性とを有する合成樹脂により一体的に成形されている。
【００４５】
なお、脚部材として、ピンを例示したが、これに限定されない。
具体的には、ピン50に、図１５〜２１に示すように、次の各部を有する。
なお、次の（１）及び（２）については、後述する。
（１）軸部90
（２）フランジ100
なお、グロメット40の各部は、上記した（１）及び（２）に限定されない。
（パッキング60）
パッキング60は、図１に示すように、ベース20とグロメット40との間に位置し、ベース20の取付穴21からの水の浸入を防止するためのものである。パッキング60は、弾性に富む材質により形成され、例えば方形の板状に形成されている。パッキング60の中央には、表裏面に貫通し、後述するグロメット40の脚部80の外形に適合した方形の中心孔61を形成している。
（鍔状部70）
鍔状部70は、図１〜４に示すように、バンパーリテーナー（図示せず）の一部を構成するととともに、ベース20に当接するものである。
【００４６】
具体的には、鍔状部70は、平面が長円形の円盤形に形成され、その外形をベース20の取付穴21の内径より大きく設定している。
なお、鍔状部70を、バンパーリテーナーの一部として構成したが、これに限定されず、バンパーリテーナーと別体に構成しても良い。また、鍔状部70を、ベース20に直接的に当接させたが、これに限定されず、バンパーリテーナーと別体に構成した場合には、バンパーリテーナーを介してベース20に間接的に当接させるようにしても良い。
【００４７】
鍔状部70には、図７〜１４に示すように、次の各部を有する。
なお、次の（１）〜（３）については、後述する。
（１）貫通孔71
（２）壁部72
（３）突壁73
なお、鍔状部70の各部は、上記した（１）〜（３）に限定されない。
（貫通孔71）
貫通孔71は、図１〜４に示すように、ピン50の軸部90が挿通するものである。
【００４８】
具体的には、貫通孔71は、鍔状部70の中央に円形に形成され、表裏面、すなわち図１において上下方向に貫通している。
（壁部72）
壁部72は、図１〜４に示すように、ピン50の挿入方向に向かって延びるものである。
具体的には、壁部72は、貫通孔71を中心とし、一回り大きな環状なリブ状に形成され、鍔状部70の上面から突出している。壁部72は、傾斜面74を貫通孔71の中心に向けた断面が台形形に形成されている。傾斜面74は、壁部72の内壁、より具体的には内側側面に位置し、貫通孔71の方向に向かって下り傾斜している。また、壁部72の上面である頂面75は、壁部72の上面と平行に形成され、傾斜面74との間の角部には接続部76が形成されている。
（突壁73）
突壁73は、図２及び図２２に示すように、貫通孔71と壁部72と間に位置し、後述するピン50を回転させた際に、そのフランジ100の下側に形成された突部103に当接し、ピン50の軸部90が貫通孔71から抜ける方向に案内するものである。
【００４９】
具体的には、突壁73は、鍔状部70の上面から突出し、鍔状部70の円周方向の前後に対して対称形状に形成され、貫通孔71を中心に放射状に４個形成されている。各突壁73は、平面が「やじり」或いは「矢印」形に形成され、その「やじり」或いは「矢印」の先端部の三角形に尖った先を貫通孔71に向かわせている。突壁73の三角形の先端部の両側には、円周方向の前後に位置し、先細状に傾斜した傾斜面77,77を形成している。
【００５０】
突壁73は、後述するピン50のフランジ100の下面から突出する突部103に当接するものである。すなわち、ピン50の軸部90をグロメット40の貫通孔71に深く挿入すると、フランジ100の下面から突出する突部103が鍔状部70の上面に位置する。この状態で、ピン50を回転すると、その突部103と、鍔状部70の上面から突出する突壁73とが当接する。ピン50を更に回転すると、その突部103の後述する傾斜面104と、突壁73の両側の傾斜面77,77のいずれか一方の傾斜面77との当接により、グロメット40の鍔状部70の上面からピン50のフランジ100が浮上する方向に案内される。
（脚部80）
脚部80は、図３、図４及び図８に示すように、貫通孔71の周囲から垂下するとともに、ピン50の挿入によって、ベース20に設けられた取付穴21の孔淵に係合する複数、例えば計４個の第１、第２弾性脚片110,120を有するものである。脚部80は、図８及び図１２に示すように、計４個の第１、第２弾性脚片110,120を角筒形に配置して形成し、当該筒内部は貫通孔71に連通している。
【００５１】
なお、弾性脚片110,120を、計４個設けたが、これに限定されず、少なくとも一対あれば良い。
また、計４個の第１、第２弾性脚片110,120から構成される脚部80の外形は、ベース20の取付穴21の内形にほぼ一致させている。
計４個の第１、第２弾性脚片110,120のうち、２個の第１弾性脚片110は、図８、図１２及び図１３に示すように、離れて相対向し、相対向した内側面には、上下に延びたリブ状の第１凸部111を設けている。
【００５２】
第１弾性脚片110は、図４に示すように、ベース20の取付穴21に挿入された状態で、貫通孔71を介して後述するピン50の軸部90が挿入されることにより、軸部90の外周によりリブ状の第１凸部111が押されることで、互いに離隔する方向に拡開する。このため、グロメット40は、鍔状部70の下面と拡開した一対の第１弾性脚片110の間で、ベース20を表裏面より挟み持つことで、ベース20の取付穴21に固定される。すなわち、グロメット40が、バンパーリテーナー（図示せず）の一部として構成されていることから、バンパーリテーナーがベース20に対して固定される。
【００５３】
一方、計４個の第１、第２弾性脚片110,120のうち、２個の第２弾性脚片120は、図８、図１２及び図１４に示すように、離れて相対向し、先端部の相対向した内側面には、断面Ｌ字形に屈曲した爪状の第２凸部121を設けている。
第２弾性脚片120は、図３に示すように、ベース20の取付穴21に挿入された状態で、貫通孔71を介して後述するピン50の軸部90が挿入されることにより、その爪状の第２凸部12
1が、軸部90の後述する凹部94にはまり込むことで、ピン50の軸部90の挿入方向の移動を阻止する。
（軸部90）
軸部90は、図１５〜１８に示すように、後述するフランジ100から垂下するものである。
【００５４】
具体的には、フランジ100の下面から垂下し、全体が略四角柱形に形成され、先端部が先細状に尖っている。
軸部90には、図１５〜１８に示すように、次の各部を有する。
軸部90の各部は、次の（１）〜（６）に限定されない。
（１）太径部91
太径部91は、図１５〜１８に示すように、軸部90の長さの途中に位置し、比較的、太径に設定されている。
【００５５】
太径部91は、図４に示すように、貫通孔71を介して脚部80の中空内部にピン50の軸部90が挿入された際に、第１弾性脚片110の間隔内に割り込むことで、第１弾性脚片110を拡開させる。
（２）細径部92
細径部92は、図１５〜１８に示すように、軸部90の先端部に位置し、太径部91と比較して細径に設定されている。
【００５６】
細径部92が、図６に示すように、第１弾性脚片110の間隔内に割り込んだ位置では、第１弾性脚片110は拡開しない。
（３）カム部93
カム部93は、図１５〜１８に示すように、太径部91と細径部92との間に位置し、細径部92から太径部91に向かって徐々に太くなっている。
【００５７】
図６に示すように、細径部92が第１弾性脚片110の間隔内に割り込んだ位置から、軸部90を貫通孔71中に押し込むと、第１弾性脚片110のリブ状の第１凸部111がカム部93に当接する。軸部90が更に押し込まれると、カム部93が太径部91に向かって徐々に太くなっていることから、第１弾性脚片110のリブ状の第１凸部111がカム部93の外周に押され、第１弾性脚片110が次第に拡径し、図４に示すように、太径部91に至る。
【００５８】
（４）凹部94
凹部94は、図１５〜１８に示すように、太径部91に形成され、凹状に凹んでいる。
凹部94には、図３に示すように、第２弾性脚片120の爪状の第２凸部121がはまり込むことで、グロメット40に対し、ピン50の軸部90の軸方向の移動を阻止する。
（５）抜止部95
抜止部95は、図１５〜１８に示すように、細径部92に隣接し、軸部90の先端部に位置し、細径部92より太く、先細状に傘形或いは円錐形に張り出している。
【００５９】
抜止部95は、貫通孔71を介して脚部80の中空内部にピン50の軸部90が挿入された際に、第１弾性脚片110のリブ状の第１凸部111に当接し、第１弾性脚片110を押し開くようにして、第１凸部111の間隔内を通過する。第１凸部111の間隔内を抜止部95が通過すると、第１弾性脚片110は樹脂の復元力により復元することで、軸部90の抜けを阻止する。
同時に、抜止部95は、第２弾性脚片120の爪状の第２凸部121に当接し、第２弾性脚片120を押し開くようにして、第２凸部121の間隔内を通過する。第２凸部121の間隔内を抜止部95が通過すると、第２弾性脚片120は樹脂の復元力により復元することで、軸部90の抜けを阻止する。
【００６０】
（６）ガイドリブ96
ガイドリブ96は、図１５〜１８に示すように、軸部90の中心から放射状に計４個延び、軸部90の軸方向に沿って形成されている。
ガイドリブ96は、貫通孔71を介して脚部80の中空内部にピン50の軸部90が挿入された際に、隣接する第１弾性脚片110と第２弾性脚片120との間の隙間内にはまり込み、脚部80の中空内部内でのピン50の軸部90が不用意に回転しないようにしている。
（フランジ100）
フランジ100は、軸部90の上端部から円盤状に張り出し、その外径を貫通孔71の内径より大きく設定している。
【００６１】
具体的には、フランジ100に、図１５〜１９に示すように、次の各部を有する。
フランジ9の各部は、次の（１）〜（３）に限定されない。
（１）弾性体101
弾性体101は、図１７及び図１８に示すように、フランジ100の外周からストレート形状に延びる薄肉状のものである。
【００６２】
具体的には、弾性体101は、フランジ100の下側から環状に延びている。弾性体101は、フランジ100の厚みを、例えば２mmとした場合に、その１／８の０．２５mmに設定されている。
弾性体101は、グロメット40の鍔状部70の上面から突出する突壁73に当接するものである。すなわち、ピン50の軸部90をグロメット40の貫通孔71に挿入すると、弾性体101の下面が鍔状部70の上面から突出する壁部72の上面である頂面75に当接する。軸部90を更に深く挿入すると、弾性体101の下面が、頂面75と、壁部72の内側側面に位置する傾斜面74との間の角状の接続部76に押されて、図３及び図４に示すように、逆反りした状態となる。この弾性体101が逆反りした状態の位置において、図３に示すように、グロメット40の第２弾性脚片120の爪状の第２凸部121が、ピン50の軸部90の凹部94にはまり込むことで、グロメット40に対し、ピン50の軸部90の軸方向の移動を阻止される。このため、弾性体101が逆反りした状態で、角状の接続部76に圧接した状態を維持する。
【００６３】
（２）治具係合部102
治具係合部102は、図示しないが、例えば「＋」（プラス）のドライバー等の治具と係合するものであり、例えば＋（プラス）溝を設けている。
なお、治具として、ドライバーを例示したが、これに限定されず、又、治具係合部102も＋溝に限定されない。
【００６４】
（３）突部103
突部103は、図１５、図１７及び図２０に示すように、フランジ100の下側に位置し、軸部90の外周からその半径方向外向きに突出し、少なくとも一つの傾斜面104を有するものである。
具体的には、突部103は、三角柱形に形成され、傾斜面104を軸部90の外周方向に向けている。突部103は、軸部90の直径方向に一対形成している。
【００６５】
なお、突部103を、一対形成したが、これに限定されず、単数或いは３個以上形成しても良い。また、傾斜面104を、フランジ100の円周方向の片側に１個形成したが、これに限定されず、図示しないが、傾斜面をフランジ100の円周方向の両側に２個形成し、突部103をフランジ100の円周方向の前後に対して対称形状に形成しても良い。このように、突部を円周方向の前後に対して対称形状に形成することで、ピン50の製造を簡便にするとともに、ピン50の回転方法の方向性を無くすることで、操作性を向上することができる。
【００６６】
突部103は、図２２に示すように、グロメット40の鍔状部70の上面から突出する突壁73に当接するものである。すなわち、ピン50の軸部90をグロメット40の貫通孔71に深く挿入
すると、フランジ100の下面から突出する突部103が鍔状部70の上面に位置する。この状態で、ピン50を回転すると、その突部103と、鍔状部70の上面から突出する突壁73とが当接する。ピン50を更に回転すると、その突部103の傾斜面104と、突壁73の両側の傾斜面77,77のいずれか一方の傾斜面77との当接により、グロメット40の鍔状部70の上面からピン50のフランジ100が浮上する方向に案内される。
（クリップ30の取付方法）
つぎに、上記した構成を有するグロメット40とピン50とからなるクリップ30の取付方法について説明する。
【００６７】
まず、グロメット40に対して、ピン50とパッキング60とを予め組み付けておく。
なお、グロメット40を、ベース20に取り付ける際に、ピン50とパッキング60とを取り付けても良い。
まず、グロメット40の脚部80を、パッキング60の中心孔61に合わせて挿入し、パッキング60を鍔状部70の下面の下側に位置させる。
【００６８】
つぎに、ピン50の軸部90を、図５及び図６に示すように、グロメット40の貫通孔71に合わせて挿入する。
ピン50の軸部90を挿入すると、貫通孔71を介して脚部80の中空内部にピン50の軸部90が挿入される。その後、軸部90の先端部の抜止部95が、第１弾性脚片110の第１凸部111と、第２弾性脚片120の第２凸部121とに当接し、第１弾性脚片110と第２凸部121とを押し開くようにして、第１凸部111の間隔内と、第２凸部121の間隔内を通過し、第１凸部111と第２凸部121とが、軸部90の細径部92に位置する。このため、軸部90は、脚部80の中空内部から抜けなくなり、ピン50がグロメット40に対して仮留めされる。
【００６９】
つぎに、グロメット40の脚部80を、図３及び図４に示すように、ベース20の取付穴21に合わせて挿入する。
グロメット40の脚部80を挿入すると、その鍔状部70の下面が、パッキング60を介してベース20の表面に当接する。
その後、ピン50のフランジ100を、図３及び図４に示すように、グロメット40に対して押し込む。
【００７０】
ピン50を押し組むと、その軸部90が脚部80の中空内部を進行し、太径部91によりグロメット40の第１弾性脚片110を押し開くことで、図４に示すように、グロメット40の脚部80の外径が拡開する。このため、グロメット40は、鍔状部70の下面と拡開した一対の第１弾性脚片110の間で、ベース20を表裏面より挟み持つことで、ベース20の取付穴21に固定される。すなわち、グロメット40が、バンパーリテーナー（図示せず）の一部として構成されていることから、バンパーリテーナーがベース20に対して固定される。
【００７１】
同時に、ピン50の凹部94内に、図３に示すように、グロメット40の第２弾性脚片120の爪状の第２凸部121がはまり込むことで、ピン50の軸部90の挿入方向の移動が阻止される。
一方、ピン50の弾性体101は、図３及び図４に示すように、グロメット40の鍔状部70の上面から突出する突壁73に当接する。すなわち、ピン50の軸部90をグロメット40の貫通孔71に挿入すると、弾性体101の下面が鍔状部70の上面から突出する壁部72の上面である頂面75に当接する。軸部90を更に深く挿入すると、弾性体101の下面が、頂面75と、壁部72の内側側面に位置する傾斜面74との間の角状の接続部76に押されて、逆反りした状態となる。この弾性体101が逆反りした状態の位置において、図３に示すように、グロメット40の第２弾性脚片120の爪状の第２凸部121が、ピン50の軸部90の凹部94にはまり込むことで、グロメット40に対し、ピン50の軸部90の軸方向の移動を阻止される。このため、弾性体101が逆反りした状態で、角状の接続部76に圧接した状態を維持する。
（クリップ30の取外方法）
一方、取り付けたクリップ30の取外方法について、説明する。
【００７２】
ピン50の＋（プラス）溝である治具係合部102に、図示しないが、「＋」（プラス）のドライバー等の治具を係合させ、ピン50のフランジ100を一方向、例えば反時計回りに回転させる。
ピン50のフランジ100を回転させると、フランジ100の下面から突出する突部103が鍔状部70の上面から突出する突壁73に当接する。
【００７３】
ピン50のフランジ100を更に回転させると、図２２に示すように、その突部103の傾斜面104と、突壁73の両側の傾斜面77,77のいずれか一方の傾斜面77との当接により、グロメット40の鍔状部70の上面からピン50のフランジ100が浮上する方向に案内される。
ピン50のフランジ100が上昇すると、その軸部90が脚部80の中空内部を抜ける方向、すなわち上方に移動することで、軸部90の凹部94にはまり込んでいたグロメット40の第２弾性脚片120の爪状の第２凸部121が係脱する。このため、グロメット40の第１弾性脚片110が、軸部90の太径部91から細径部92に移動することで、グロメット40の脚部80の外径が縮径する。
【００７４】
このため、グロメット40の脚部80を、ベース20の取付穴21から引き抜くことができる。
なお、このとき、ピン50は、グロメット40に対して仮留めされた状態を維持する。
（第２の実施の形態）
つぎに、図２３を用いて、本発明の第２の実施の形態について説明する。
本実施の形態の特徴は、グロメット40の鍔状部70の上面から突出する突壁200を、図２３に示すように、平面において長円に形成した点である。
【００７５】
長円の突壁200は、鍔状部70の円周方向の前後に対して対称形状となる。
なお、本実施の形態の説明においては、先に図１〜２２を用いて説明した第１の実施の形態と同一の構成部分については、同一の符号を用いて説明を省略する。
（第３の実施の形態）
つぎに、図２４を用いて、本発明の第３の実施の形態について説明する。
【００７６】
本実施の形態の特徴は、グロメット40の鍔状部70の上面から突出する突壁210を、図２４に示すように、平面において矩形に形成した点である。
矩形の突壁210は、鍔状部70の円周方向の前後に対して対称形状となる。
なお、先に図１〜２２を用いて説明した第１の実施の形態では、突壁73を、平面において「やじり」或いは「矢印」形に形成し、図２３を用いて説明した第２の実施の形態では、突壁200を平面において長円に形成し、本実施の形態では、突壁210を平面において矩形に形成したが、突壁73,200,210は、鍔状部70の円周方向の前後に対して対称形状であれば良く、これらの形状に限定されない。
【００７７】
また、本実施の形態の説明においては、第１の実施の形態と同一の構成部分については、同一の符号を用いて説明を省略する。
（第４の実施の形態）
つぎに、図２５及び図２６を用いて、本発明の第４の実施の形態について説明する。
本実施の形態の特徴は、図２５及び図２６に示すように、グロメット40の鍔状部70の上面から突出する壁部400を、先に図１〜２２を用いて説明した第１の実施の形態の壁部72のようにリブ状でなく、段差状に形成した点である。
【００７８】
すなわち、壁部72は、鍔状部70の上面から外周方向に斜め上向きに傾斜した傾斜面401と、壁部72の上面である頂面402と、傾斜面401と頂面402との間の角部に位置する接続部403とから構成している。
なお、本実施の形態の説明においては、第１の実施の形態と同一の構成部分については、同一の符号を用いて説明を省略する。
（第５の実施の形態）
つぎに、図２７〜３２を用いて、本発明の第５の実施の形態について説明する。
【００７９】
本実施の形態の特徴は、第１に、先に図１〜２２を用いて説明した第１の実施の形態のピン50（脚部材）の「突部103」及び「傾斜面104」を省き、これに代えて、図２７及び図２９〜３２に示すように、ピン50（脚部材）の凹部94の円周方向に、「ロック解除部500」を形成し、当該ロック解除部500を「突部」とした点にある。
第２に、本実施の形態の特徴は、先に説明した第１の実施の形態のグロメット40（取付部材）の「突壁73」及び「傾斜面77」を省き、これに代えて、図２７〜３２に示すように、グロメット40（取付部材）の第２弾性脚片120の「第２凸部121」を「突壁」として併用した点にある。
【００８０】
ロック解除部500は、図３１及び図３２に示すように、ピン50の軸部80の円周方向に、放射状に複数個、例えば９０度間隔で計４個設けている。また、ロック解除部500は、図２７、図２９及び図３０に示すように、軸部80の太径部91と細径部92との間に位置し、軸部80の軸方向に延びている。
ロック解除部500の外側面には、図３０に示すように、細径部92の方向に向かって縮径、すなわち下り傾斜した傾斜面501を形成している。
【００８１】
なお、ロック解除部500を、４個設けたが、これに限定されず、単数、或いは２個、３個、５個以上設けても良い。
また、本実施の形態の説明においては、第１の実施の形態と同一の構成部分については、同一の符号を用いて説明を省略する。
（クリップ30の取付方法）
まず、上記した構成を有するグロメット40とピン50とからなるクリップ30の取付方法について説明する。
【００８２】
ピン50の軸部80をグロメット40の貫通孔71に挿入すると、当該軸部80の凹部94に、図２９及び図３１に示すように、第２弾性脚片120の爪状の第２凸部121がはまり込むことでロックされ、ピン50の軸部90の挿入方向の移動が阻止される。
このとき、ピン50の弾性体101の下面が、図２９に示すように、グロメット40の鍔状部70の上面から突出する壁部72に押されて、逆反りした状態となる。
【００８３】
また、本実施の形態では、図示しないが、第１の実施の形態の先に説明した図４に示すように、グロメット40の第１弾性脚片110が拡開することで、ベース20に対して固定される。
（クリップ30の取外方法）
つぎに、取り付けたクリップ30の取外方法について説明する。
【００８４】
ピン50のフランジ100を４５度回転させると、軸部80の凹部94にはまり込んでいた爪状の第２凸部121が、図２９、図３０及び図３２に示すように、凹部94からロック解除部500に移動し、当該ロック解除部500に乗り上がる。
このとき、図２９に示すように、逆反りした状態の弾性体101の反力Ｆxにより、ピン50を浮き上げる第１の力Ｆ1が発生し、ロック状態が解除される。
【００８５】
このため、ピン50の軸部90の軸方向の移動が可能となり、軸部90が脚部80の中空内部を抜ける方向、すなわち上方に移動する。このとき、爪状の第２凸部121が、軸部90の細径部92に向かって移動し、凹部94に戻れなくなる。
同時に、爪状の第２凸部121がロック解除部500に乗り上がると、図３０に示すように、当該ロック解除部500の傾斜面501に当接する。
【００８６】
このとき、図３０に示すように、傾斜面501に対し、爪反力Ｆyにより、ピン50を浮き上げる第２の力Ｆ2が発生し、ロック状態が解除される。
本実施の形態では、傾斜面501の傾斜角度を緩く設定しているので、第２の力Ｆ2単独では、ロック状態を解除できず、第１の力Ｆ1との合成力（Ｆ1＋Ｆ2）によりロック状態が解除されるようにしている。なお、傾斜面501の傾斜角度を急勾配とすることで、第２の力Ｆ2単独で、ロック状態を解除することも可能である。
【符号の説明】
【００８７】
（第１の実施の形態）
10  部材締結構造
20  ベース              21  取付穴
30  クリップ
40  グロメット（取付部材）
50  ピン（脚部材）
60  パッキング          61  中心孔
70  鍔状部              71  貫通孔
72  壁部                73  突壁
74  傾斜面              75  頂面
76  接続部              77  傾斜面
80  脚部
90  軸部
91  太径部              92  細径部
93  カム部              94  凹部
95  抜止部              96  ガイドリブ
100  フランジ
101  弾性体             102  治具係合部
103  突部               104  傾斜面
110  第１弾性脚片       111  第１凸部
120  第２弾性脚片       121  第２凸部（突壁）
（第２の実施の形態）
200  突壁（長円）
（第３の実施の形態）
210  突壁（矩形）
（第４の実施の形態）
400  壁部
401  傾斜面             402  頂面
403  接続部
（第５の実施の形態）
500  ロック解除部（突部）
501  傾斜面
【図１】
2011231850.tif 000003
【図２】
2011231850.tif 000004
【図３】
2011231850.tif 000005
【図４】
2011231850.tif 000006
【図５】
2011231850.tif 000007
【図６】
2011231850.tif 000008
【図７】
2011231850.tif 000009
【図８】
2011231850.tif 000010
【図９】
2011231850.tif 000011
【図１０】
2011231850.tif 000012
【図１１】
2011231850.tif 000013
【図１２】
2011231850.tif 000014
【図１３】
2011231850.tif 000015
【図１４】
2011231850.tif 000016
【図１５】
2011231850.tif 000017
【図１６】
2011231850.tif 000018
【図１７】
2011231850.tif 000019
【図１８】
2011231850.tif 000020
【図１９】
2011231850.tif 000021
【図２０】
2011231850.tif 000022
【図２１】
2011231850.tif 000023
【図２２】
2011231850.tif 000024
【図２３】
2011231850.tif 000025
【図２４】
2011231850.tif 000026
【図２５】
2011231850.tif 000027
【図２６】
2011231850.tif 000028
【図２７】
2011231850.tif 000029
【図２８】
2011231850.tif 000030
【図２９】
2011231850.tif 000031
【図３０】
2011231850.tif 000032
【図３１】
2011231850.tif 000033
【図３２】
2011231850.tif 000034